(57)【要約】【課題】燃料に耐え、かつ、低い透過性を示し、そして比較的安価でもある燃料輸送チューブを提供すること。【解決手段】内側から外側に向かって、ポリオレフィンの内層と、接着剤を基にした第１中間層と、エチエンビニリデンアルコールの第２中間層と、ポリアミドの第３中間層と、外側の保護層とを含んで成る多層チューブ。【選択図】図１
2006116966.tif 000002
【特許請求の範囲】
【請求項１】
内側から外側に向かって、
ポリオレフィンの内層と、
接着剤を基にした第１中間層と、
エチレンビニリデンアルコールの第２中間層と、
ポリアミドの第３中間層と、
外側の保護層と、
を含んで成る多層チューブ。
【請求項２】
前記内層のポリオレフィンがポリエチレンであることを特徴とする請求項１記載のチューブ。
【請求項３】
前記内層のポリオレフィンがポリプロピレンであることを特徴とする請求項１記載のチューブ。
【請求項４】
前記第３中間層のポリアミドがポリアミド６−１２であることを特徴とする請求項１記載のチューブ。
【請求項５】
前記外側の保護層が熱可塑性エラストマーから作られていることを特徴とする請求項１記載のチューブ。
【請求項６】
前記エラストマーが、ポリプロピレンとエチレン−プロピレン−ジオレフィンモノマーを基にするものであることを特徴とする請求項５記載のチューブ。
【請求項７】
前記エラストマーがポリエステル−エーテルを含むことを特徴とする請求項５記載のチューブ。
【請求項８】
前記エラストマーがポリエーテル−エステルを含むことを特徴とする請求項５記載のチューブ。
【請求項９】
前記エラストマーがスチレン−エチレン−ブタデン−スチレンを含むことを特徴とする請求項５記載のチューブ。
【請求項１０】
前記外側層がポリエステルから作られていることを特徴とする請求項１記載のチューブ。
【請求項１１】
前記ポリエステルがポリブチレンテレフタレートであることを特徴とする請求項１０記載のチューブ。
【請求項１２】
前記外側の保護層がポリオレフィンから作られていることを特徴とする請求項１記載のチューブ。
【請求項１３】
前記外側の保護層中のポリオレフィンがポリプロピレンであることを特徴とする請求項１２記載のチューブ。
【発明の詳細な説明】
【技術分野】
【０００１】
本発明は、多層チューブに関し、より詳細には、モーター付き乗り物のエンジンのための供給回路で燃料を輸送するためのチューブに関する。
【背景技術】
【０００２】
通常、燃料を輸送するために使用される多層チューブは、比較的良好な燃料バリヤー特性を有するポリアミドの内層を含む。けれども、ポリアミドは、燃料と接触すると分解して燃料を汚染するオリゴマーを放出し、当該チューブから下流に位置するエンジン部品に損傷を与えうるという欠点を有する。
【０００３】
多層チューブに、フッ素含有熱可塑性樹脂により構成された内層を備えることも知られている。かかる熱可塑性樹脂は、良好なバリヤー特性を示す。けれども、それらの材料は非常に高価である。
【０００４】
そのため、自動車業界では、燃料の輸送に使用するのに好適な新規な多層チューブ構造体であって、汚染排出物を減らすために燃料透過性が低い一方で、燃料に対する耐性を有し、比較的安価である新規な多層チューブ構造体を捜し求めている。
【特許文献１】米国特許第４，８１４，３７９号明細書
【特許文献２】米国特許第６，３６１，８４３号明細書
【特許文献３】国際公開第０１／３６１８７号パンフレット
【特許文献４】欧州特許出願公開第１０３６９６８号明細書
【特許文献５】欧州特許出願公開第１３１４７５９号明細書
【特許文献６】欧州特許出願公開第１１２２０６１号明細書
【特許文献７】欧州特許出願公開第１２４３８３１号明細書
【特許文献８】欧州特許出願公開第１０４３３７５号明細書
【特許文献９】欧州特許出願公開第０５６１４２８号明細書
【発明の開示】
【発明が解決しようとする課題】
【０００５】
本発明の目的は、自動車の燃料輸送チューブとして、より詳細には、汚染排出物を減らすために、燃料に耐え、かつ、低い透過性を示し、そして比較的安価でもある燃料輸送チューブとして新規な構造体を提案することによりこの要求を満足することである。
【課題を解決するための手段】
【０００６】
この目的を達成するために、本発明は、内側から外側に向かって、
ポリオレフィンの内層と、
接着剤を基にした第１中間層と、
エチレンビニリデンアルコールの第２中間層と、
ポリアミドの第３中間層と、
外側の保護層と、
を含んで成る多層チューブを提供する。
【０００７】
上記ポリオレフィン層は、燃料との接触によって知覚できるほどには分解しないため、輸送される燃料中にオリゴマーは放出されない。ポリオレフィン層は比較的安価である。上記エチレン−ビニリデン−アルコール層は炭化水素バリヤー特性を有する。この材料は、バリヤー機能のためにこれまで使用されてきたフッ素系材料よりも安価でもある。上記ポリアミド層は、良好な化学的耐性及び機械的強さを示すとともに、比較的低い炭化水素透過性を示す。上記外側層は、当該チューブが使用される環境で生じる外部からの攻撃からその他の層を保護するように構成される。そのため、自動車用途の場合、上記外側層は、良好な機械的強さと、オイル、ウィンドシールド・ウォッシャー液、冷却液、ブレーキ液等のエンジン環境中に見出される流体及び特に道路の維持管理のために使用される塩化亜鉛又は塩化ナトリウム等の物質に対して良好な化学的耐性を示すように構成される。
【０００８】
本発明の他の特徴及び利点は、本発明の具体的な非限定的態様に関する以下の記載を読むことにより明らかになるであろう。
【発明を実施するための最良の形態】
【０００９】
図１を参照すると、本発明に係るチューブは、内側から外側に向かって、
内層１と、
第１の中間層２と、
第２の中間層３と、
第３の中間層４と、
保護層５と、
を含んで成る。
【００１０】
内層１はポリオレフィンから作られている。この場合における内層１はポリエチレンから作られているが、ポリプロピレン又はポリオレフィン類の混合物等の幾つかの他のポリオレフィンから同様に作ることができる。
【００１１】
中間層２は、内層１の材料及び中間層３の材料との適合性があるバインダー又は接着剤から作られる。この例で使用した接着剤は、供給業者ＡＴＯＦＩＮＡから商品名ＯＲＧＡＬＬＯＹで販売されている製品等の、ポリオレフィンとポリアミドの混合物である。この場合、中間層１は、内層１と中間層３との間に強力な結合をもたらす。
【００１２】
中間層３は、エチレン−ビニリデン−アルコール（ＥＶＯＨ）から作られている。
【００１３】
中間層４は、ポリアミドを基にするものであり、より詳細には、この場合には、ポリアミド６−１２を基にするものである。使用されるポリアミドは、ポリアミド６又はポリアミド１２などの幾つかの他のポリアミドであってもよい。
【００１４】
この場合における保護層５は、熱可塑性エラストマー、より詳細には、ポリプロピレンとエチレン−プロピレン−ジエンモノマーを基にする熱可塑性エラストマー（ＰＰ−ＥＰＤＭ）から作られたものである。保護層は、幾つかの他の材料から作ることもでき、特にポリエステルから作ることができる。使用されるポリエステルは、例えばポリブチレンテレフタレートである。外側層に使用するのに好適な他の材料の中、特に、ポリプロピレンなどのポリオレフィン類を挙げることができる。
【００１５】
当然のことながら、本発明は、上記の態様に限定されず、特許請求の範囲により規定される本発明の範囲を超えることなく、本発明に様々な態様が適用される。
【００１６】
特に、チューブにかかるであろう応力が補強すべきポリアミド層と外側の保護層との間の結合を必要とする場合に、これら２つの層の間に接着剤層を配置することができる。
【００１７】
さらに、外側層は、上記のもの以外の材料から作られていてもよく、特に、以下の材料：
・ポリエステル−エーテル；
・ポリエーテル−エステル；及び
・スチレン−エチレン−ブチレン−スチレン（ＳＥＢＳ）；
のうちの１つを含む又はから構成される熱可塑性エラストマーから作られていてもよい。
【００１８】
さらに、本発明のチューブは自動車用途に限定されない。
【図面の簡単な説明】
【００１９】
【図１】図１は、本発明に係るチューブの断面図である。
【図１】
2006116966.tif 000003
【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
内側から外側に向かって、
ポリオレフィンの内層と、
接着剤を基にした第１中間層と、
エチレンビニリデンアルコールの第２中間層と、
ポリアミドの第３中間層と、
外側の保護層と、
を含んで成る多層チューブ。
【請求項２】
前記内層のポリオレフィンがポリエチレンであることを特徴とする請求項１記載のチューブ。
【請求項３】
前記内層のポリオレフィンがポリプロピレンであることを特徴とする請求項１記載のチューブ。
【請求項４】
前記第３中間層のポリアミドがポリアミド６−１２であることを特徴とする請求項１記載のチューブ。
【請求項５】
前記外側の保護層が熱可塑性エラストマーから作られていることを特徴とする請求項１記載のチューブ。
【請求項６】
前記エラストマーが、ポリプロピレンとエチレン−プロピレン−ジオレフィンモノマーを基にするものであることを特徴とする請求項５記載のチューブ。
【請求項７】
前記エラストマーがポリエステル−エーテルを含むことを特徴とする請求項５記載のチューブ。
【請求項８】
前記エラストマーがポリエーテル−エステルを含むことを特徴とする請求項５記載のチューブ。
【請求項９】
前記エラストマーがスチレン−エチレン−ブチレン−スチレンを含むことを特徴とする請求項５記載のチューブ。
【請求項１０】
前記外側層がポリエステルから作られていることを特徴とする請求項１記載のチューブ。
【請求項１１】
前記ポリエステルがポリブチレンテレフタレートであることを特徴とする請求項１０記載のチューブ。
【請求項１２】
前記外側の保護層がポリオレフィンから作られていることを特徴とする請求項１記載のチューブ。
【請求項１３】
前記外側の保護層中のポリオレフィンがポリプロピレンであることを特徴とする請求項１２記載のチューブ。